(57)【要約】      （修正有）【課題】利用者の下半身および上半身を同時に運動させるための座位およびハンドルバーとを備える運動自転車を提供する。【解決手段】座位付き座位スタンドおよびハンドルバー付きハンドルスタンドと、座位スタンドの下方部上に旋回可能に係合される１組の歯車と、歯車のホイールの中心上でセットするクランクを有する一対のペダルと、ペダルの抵抗を変化させるためのダンパーと、ペダルの抵抗を平滑にするためのショックアブソーバーと、片方端部が歯車のクランク上で旋回可能に連結しかつ他方端部がハンドルスタンド上で旋回可能に係合されるシャフトと、ハンドルスタンドの下方先端部と旋回可能に係合されるベース部と、座位スタンドの下方先端部上でセットされる摺動装置とを含む。座位スタンドおよびハンドルスタンドは、使用者がペダル上でトランピングすると一種の鋏運動で相対的に移動できる。この装置により、人は上半身と下半身の両方の運動を行うことができる。【選択図】図１
0003143723.tif 000002
【実用新案登録請求の範囲】
【請求項１】
旋回軸上で十文字に交差する座位スタンド１０とハンドルスタンド２０と、
前記座位スタンドの上部にセットされる座位部１１と、
前記ハンドルスタンドの上部にセットされる一対のハンドルと、
前記座位スタンドおよび前記ハンドルスタンドの鋏運動の速度を規制するために前記座位スタンド上に旋回可能に係合される１組の歯車３０と、
前記歯車に接合された一対のクランク付きの一対のペダル１５２と、
前記ペダルの調節可能な抵抗を生成するためのダンパー５０と、
前記ダンパーを駆動するためのプーリ４０と、
前記ペダルの抵抗を平滑にするために前記座位スタンドと前記ハンドルスタンドとの間に連結されるショックアブソーバー６０と、
一種の鋏運動において前記座位スタンドおよび前記ハンドルスタンドを移動させるために前記歯車と前記ハンドルスタンドとの間に旋回可能に連結されるシャフト４０と、
前記ハンドルスタンドの下方先端部と旋回可能に係合されるベース部と、
前記座位スタンドの下方先端部にそれがフロア上に移動できるように連結する摺動装置８０と、を含む運動装置。
【請求項２】
前記ダンパーが、コイル付き抵抗ホイール５１と、少なくとも１つの磁石付き磁気装置５２とを備え、所望の抵抗を生成するために前記磁石と前記コイルとの間の距離を規制する、請求項１に記載の運動装置。
【請求項３】
前記ハンドルスタンドが少なくともシャフトピボット２３をセットして前記シャフトが前記ハンドルスタンドおよび前記歯車と連動する、請求項１に記載の運動装置。
【請求項４】
旋回軸上で十文字に交差する座位スタンド１０とハンドルスタンド２０と、
前記座位スタンドの上部にセットされる座位部１１と、
前記ハンドルスタンドの上部にセットされる一対のハンドルと、
前記座位スタンドおよび前記ハンドルスタンドの鋏運動の速度を規制するための前記座位スタンド上に旋回可能に係合される１組の歯車３０と、
前記歯車に接合された一対のクランク付きの一対のペダル１５２と、
前記ペダルの抵抗を平滑にするために前記座位スタンドと前記ハンドルスタンドとの間に連結されるショックアブソーバー６０と、
一種の鋏運動において前記座位スタンドおよび前記ハンドルスタンドを移動させるために前記歯車と前記ハンドルスタンドとの間に旋回可能に連結されるシャフト４０と、
前記ハンドルスタンドの下方先端部と旋回可能に係合されるベース部と、
前記座位スタンドの下方先端部にそれがフロア上に移動できるように連結する摺動装８０置と、を含む運動装置。
【請求項５】
前記ハンドルスタンドが少なくともシャフトピボット２３をセットして前記シャフトが前記ハンドルスタンドおよび前記歯車と連動する、請求項４に記載の運動装置。
【考案の詳細な説明】
【技術分野】
【０００１】
本考案は、フィットネス装置、より具体的には、手および脚の運動を提供する運動自転車に関する。
【背景技術】
【０００２】
従来の運動自転車は、通常トランピング運動のための一対のペダルを備えた固定フレームで設計された。これは主として下半身を運動させる。従来技術は、米国特許第２００３００９２５３２号に示された。スペースを占有する、保管が難しい、下半身のみの運動の点で従来技術には多数の弱点もあった。
【考案の開示】
【考案が解決しようとする課題】
【０００３】
本考案は、中間部に旋回軸を有する２つの交差スタンドと、一対のペダルと、一組の歯車と、プーリと、ダンパーと、利用者の下半身および上半身を同時に運動させるための座位およびハンドルバーとを備える運動装置を提供する。したがって、上記の機能を達成するために、運動自転車は、上部に座位を設けた座位スタンドと、中間部で座位スタンドと旋回可能に係合されるハンドルスタンドと、鋏運動のように、スティックを駆動してハンドルスタンドを前後に動かすために座位スタンド上に一組の減速歯車と、歯車およびプーリを駆動するためのクランク付き一対のペダルと、トランピング抵抗を規制するための一組のダンパーと、ダンパーの抵抗ホイールの回転速度を加速するプーリと、トランピング速度をより滑らかにするためにハンドルスタンドおよび座位スタンド上で両先端部に旋回可能に係合されたショックアブソ−バと、を備える。利用者がペダル上でトランピングして利用者の体重およびダンパーにより抵抗が作用すると、運動自転車は脚部のトランピング運動を提供する。利用者の上半身の運動をするために前方および後方ストレッチングハンドルおよび後方および前方ロッキング座位が歯車に駆動される。ダンパーを調節することによりトランピング抵抗を変化させることが出来る。
【課題を解決するための手段】
【０００４】
本考案の好ましい実施形態は、図面を用いて以下のとおり記載される。図１〜５に示すように、運動自転車は、両スタンドの中間部で旋回可能に係合される十字交差である座位スタンド１０およびハンドルスタンド２０と、一対のペダル１５２と、一組の歯車３０と、プーリ４０と、ダンパー５０と、ショックアブソーバー６０と、シャフト７０と、ベース部２２と、摺動装置８０と、を備える。
【考案を実施するための最良の形態】
【０００５】
座位スタンド１０は、上部に座位部１１と、ショックアブソーバー６０の上部先端部を旋回可能に接合するために座位部１１の下に継手１１１と、歯車３０およびプーリ４０を支持するためにアッパーピボット１３、ミドルピボット１４およびロワーピボット１５を取り付けて下方部にある一対のブランチスタンド１２と、フロア先端部にある摺動装置８０と、を備える。クランク１３１は、アッパーピボット１３上にセットしてシャフト７０を駆動する。ダンパー５０の抵抗ホイール５１は、ミドルピボット１４上にセットする。一対のペダルクランク１５１は、ペダル１５２と共にロワーピボット１５上でブランチスタンド１２の外側にセットする。
【０００６】
ハンドルスタンド２０は、座位スタンド１０の中間部で旋回可能に係合されて交差する一対のパラレルスタンドと、フロア先端部上で旋回可能に係合されたフットベース部２２と、シャフト７０と接合されたシャフトピボット２３と、ショックアブソーバー６０と係合されたバンパーピボット２４と、上部先端部上のハンドルバー２１と、を備える。
【０００７】
歯車３０は、幾つかの大歯車３１と、２つのチェーン３２とを含み、それらはブランチスタンド１２のアッパー、ミドルおよびロワーピボット１３，１４、１５に旋回可能に係合される。プーリ４０は、幾つかのホイール４１と、ミドルピボット１４上に旋回可能にセットされる少なくとも２つのベルト４２と、ダンパー５０を駆動するためのロワーピボット１５とを含む。
【０００８】
ダンパー５０は、抵抗ホイール５１と、磁気装置５２とを備える。抵抗ホイール５１は、コイル５１１と共にミドルピボット１４上に旋回可能にセットする。磁気装置５２は、ブランチスタンド１２上に旋回可能にセットする、ブランチスタンド１２は少なくとも１つの磁石５２１を備える。抵抗ホイール５１のコイル５１１までの距離を調節することによって、コイル５１１が磁石５２１の磁界を通過するように駆動されるときに抵抗ホイール５１の抵抗が変わりうる。ダンパー５０はまた、機械的摩擦システムと置き換えられことができる。
【０００９】
流体または空気ベースバンパーまたはスプリングバンパーでありうる、ショックアブソーバー６０は、両端部がハンドルスタンド２０のバンパーピボット２４および座位スタンド１０の継手１１１上で旋回可能に係合する。シャフト７０は、片方先端部がシャフトピボット２３上でおよび他方先端部がクランク１３１上で旋回可能に係合される。
【００１０】
摺動装置８０は、座位スタンド１０のフロア先端部上で摺動ピボット８１と、摺動ピボット８１の両先端部で一対のホイール８２を含む。
【００１１】
クランク１５１およびペダル１５２は、トランピングされると、歯車３０と、プーリ４０と、ダンパー５０とを同時に駆動できる。クランク１３１は、歯車３０によって駆動されて、シャフト７０を交互に押したり、引っ張ったりする。したがって、座位スタンド１０およびハンドルスタンド２０は、鋏のように動くことができる。その動きは利用者にとっては乗馬によく似ている。摺動装置が、前方に押しやられると、座位スタンド１０はそれに対応して押し下げられ、ショックアブソーバー６０が反応エネルギーを復元させて、後で座位スタンド１０を押し戻す。利用者がペダル上でトランピングすると、ショックアブソーバー６０が、ペダルの抵抗を平滑に規制することができる。
【００１２】
図５に示すように、ダンパー５０は手動で操作して、磁気装置５２の磁石５２１と抵抗ホイール５１のコイル５１１との間の距離を規制することができトランピング運動の種々の抵抗を生成する。
【００１３】
本考案が特に示されかつ本明細書に記載されたことに限定されないこと、および図面は必ずしも縮尺で製図されていないことが当業者によって十分に理解されるであろう。
様々な修正および変形が、本考案の範囲および精神を逸脱しないで上記の教示に照らして可能であり、これは以下の請求項によってのみ制限される。
【図面の簡単な説明】
【００１４】
本考案のより完全な理解、およびその付随的な利点および特徴は、以下の添付図面といっしょに検討されるときに以下の詳細な説明を参照してより容易に理解されるであろう。
【図１】好ましい実施形態の部分分解図である。
【図２】図１の装置の透視図である。
【図３】異なる視点からの図１の装置の別の透視図である。
【図４】図２の装置の正面図である。
【図５】図２の装置の側面図である。
【符号の説明】
【００１５】
１０    座位スタンド
１１    座位部
１１１  継手
１２    ブランチスタンド
１３    アッパーピボット
１３１   クランク
１４    ミドルピボット
１５    ロワーピボット
１５１  ペダルクランク
１５２  ペダル
２０    ハンドルスタンド
２１    ハンドルバー
２２    フットベース部
２３    シャフトピボット
２４    バンパーピボット
３０    歯車
３１    大歯車
３２    チェーン
４０    プーリ
４１    ホイール
４２    ベルト
５０    ダンパー
５１    抵抗ホイール
５１１  コイル
５２    磁気装置
５２１  磁石
６０    ショックアブソーバー
７０    シャフト
８０    摺動装置
８１    摺動ピボット
８２    ホイール
【図１】
0003143723.tif 000003
【図２】
0003143723.tif 000004
【図３】
0003143723.tif 000005
【図４】
0003143723.tif 000006
【図５】
0003143723.tif 000007